(57)【要約】【課題】光トランシーバの制御を無線で行うことを可能とする。【解決手段】外部と光ファイバを介して光信号の送受信を行う光トランシーバと、前記光トランシーバを制御するための制御手段と、前記光トランシーバと前記制御手段との間に形成された主信号配線系及び制御配線系と、を有している。前記主信号配線系は、前記光信号と相互変換される電気信号である主信号を伝送するものであって、有線回線で構成したものである。前記制御配線系は、前記光トランシーバから出力される監視信号と、前記監視信号に基づいて前記光トランシーバを制御するために前記制御手段で出力される制御信号とを相互に伝送するものであって、無線回線で構成したものである。【選択図】図１
2008035496.tif 000002
【特許請求の範囲】
【請求項１】
外部と光ファイバを介して光信号の送受信を行う光トランシーバと、
前記光トランシーバを制御するための制御手段と、
前記光トランシーバと前記制御手段との間に形成された主信号配線系及び制御配線系と、を有し、
前記主信号配線系は、前記光信号と相互変換される電気信号である主信号を伝送するものであって、有線回線で構成したものであり、
前記制御配線系は、前記光トランシーバから出力される監視信号と、前記監視信号に基づいて前記光トランシーバを制御するために前記制御手段で出力される制御信号とを相互に伝送するものであって、無線回線で構成したものであることを特徴とする光送受信装置。
【請求項２】
前記光トランシーバは、
前記光信号と前記電気信号との相互変換を行い、光ファイバ通信を行う送受信用駆動回路と、
前記送受信用駆動回路を含めた前記光トランシーバの状態を監視する監視手段と、を含み、
前記送受信用駆動回路は、前記有線回線で構成された前記主信号配線系を介して前記制御手段と接続され、
前記監視手段は、前記無線配線で構成された前記制御配線系を介して前記制御手段と接続されたものである、請求項１に記載の光送受信装置。
【請求項３】
前記監視手段は、光トランシーバ内における、温度変化，電圧・電流変化，光信号の入出力の変化に基づいて、前記送受信用駆動回路を含めた前記光トランシーバの状態を監視するものである、請求項２に記載の光送受信装置。
【請求項４】
前記監視手段は、前記送受信用駆動回路を含めた前記光トランシーバの状態をリアルタイムで監視するものである、請求項２に記載の光送受信装置。
【請求項５】
前記監視手段は、切替手段を含み、
前記切替手段は、前記光トランシーバと前記制御手段との間に前記主信号配線系で形成された回線の接続と切断とを行うものである、請求項１に記載の光送受信装置。
【請求項６】
前記監視手段は、
前記送受信用駆動回路を含めた前記光トランシーバの状態を監視した情報を記憶するメモリを有している、請求項２に記載の光送受信装置。
【請求項７】
前記無線回線で構成された前記制御配線系は、自由空間中で信号の伝送を行うものである、請求項１に記載の光送受信装置。
【請求項８】
前記無線回線で構成された前記制御配線系は、自由空間中に配置した光ファイバを通して信号の伝送を行うものである、請求項１に記載の光送受信装置。
【請求項９】
外部と光ファイバを介して光信号の送受信を行う光トランシーバと、前記光トランシーバを制御するための制御手段との間に、有線回線で構成した主信号配線系と無線回線で構成した制御配線系との２系統の配線系を形成し、
前記光信号と相互変換される電気信号である主信号の伝送を、前記有線回線で構成された前記主信号配線系を用いて行い、
前記光トランシーバから出力される監視信号と、前記監視信号に基づいて前記光トランシーバを制御するために前記制御手段で出力される制御信号との伝送を、前記無線回路で構成された制御配線系を用いて行うことを特徴とする光送受信方法。
【請求項１０】
前記無線回線で構成された前記制御配線系を用いて、自由空間中で信号の伝送を行う、請求項９に記載の光送受信方法。
【請求項１１】
前記無線回線で構成された前記制御配線系を用いて、自由空間中に配置した光ファイバを通して信号の伝送を行う、請求項９に記載の光送受信方法。
【発明の詳細な説明】
【技術分野】
【０００１】
本発明は、光ファイバ通信に使用される光送受信装置及び光送受信方法に関する。
【背景技術】
【０００２】
光トランシーバ（光トランシーバ）は、通信機器やネットワーク機器，コンピュータ，記憶装置等の制御手段のデータ入出力口として備え付けられ、光通信網と制御手段とを接続し光信号／電気信号変換を実行して光データ通信を行うものである。近年、前記光トランシーバについては、小型化や高密度化が要求されている。これは、ＭＳＡ（Ｍｕｌｔｉ  Ｓｏｕｒｃｅ  Ａｇｒｅｅｍｅｎｔ）に準拠することで、物理的な大きさが決められていることにも起因している。このような要求及び制限があるにも拘わらず、光トランシーバ（光トランシーバ）は、さらに機能の増加が要求され、これに伴い制御端子も増加している。
【０００３】
しかし、光トランシーバでは、制御端子を増加させると、この制御端子に接続される配線が必然的に増加し、この光トランシーバを構成するプリント基板上の配線が非常に密になる。このため、インピーダンス整合が困難であることや、機器間で送受信されるデータ信号の波形が配線からの電磁波ノイズ等により劣化する等、安定した通信を実行させることが困難であった。
【０００４】
これに鑑みて、機器と電気的な信号の入出力を行うコネクタを使用することなく、機器との間の通信を無線で行う構成の光トランシーバが特許文献１に開示されている。
【０００５】
【特許文献１】特開２００３‐１９８４６４号公報
【発明の開示】
【発明が解決しようとする課題】
【０００６】
近年、データ通信技術の発達に伴い、光トランシーバと機器間の信号伝送速度は１ＧＨｚ以上の高周波を想定するようになっている。このように高周波での伝送の下では、特性を確保することが困難になりつつある。例え、特許文献１の光トランシーバを用いても、極めて困案であり、その改良が望まれている。
【０００７】
本発明の目的は、光トランシーバの制御を無線で行うことを可能とした光送受信装置及び光送受信方法を提供することにある。
【課題を解決するための手段】
【０００８】
前記目的を達成するため、本発明に係る光送受信装置は、外部と光ファイバを介して光信号の送受信を行う光トランシーバと、前記光トランシーバを制御するための制御手段と、前記光トランシーバと前記制御手段との間に形成された主信号配線系及び制御配線系と、を有し、
前記主信号配線系は、前記光信号と相互変換される電気信号である主信号を伝送するものであって、有線回線で構成したものであり、
前記制御配線系は、前記光トランシーバから出力される監視信号と、前記監視信号に基づいて前記光トランシーバを制御するために前記制御手段で出力される制御信号とを相互に伝送するものであって、無線回線で構成したものであることを特徴とするものである。
【０００９】
以上の説明では、本発明を光送受信装置として構築したが、これに限られるものではなく、本発明は光送受信方法として構築してもよいものである。
【００１０】
本発明に係る光送受信方法は、外部と光ファイバを介して光信号の送受信を行う光トランシーバと、前記光トランシーバを制御するための制御手段との間に、有線回線で構成した主信号配線系と無線回線で構成した制御配線系との２系統の配線系を形成し、
前記光信号と相互変換される電気信号である主信号の伝送を、前記有線回線で構成された前記主信号配線系を用いて行い、
前記光トランシーバから出力される監視信号と、前記監視信号に基づいて前記光トランシーバを制御するために前記制御手段で出力される制御信号との伝送を、前記無線回路で構成された制御配線系を用いて行う構成として構築する。
【発明の効果】
【００１１】
本発明によれば外部と制御手段間のデータ通信回線を有線回線とし、制御手段からの制御指示信号を受信する回線を無線通信回線とすることができ、制御手段との間に高い伝送速度に対応できる伝送路を有線で確保しながら、光トランシーバ内のプリント基板上の配線を少なくすることができる。
【発明を実施するための最良の形態】
【００１２】
以下、本発明の実施形態を、図面を参照して説明する。
【００１３】
本発明の実施形態に係る光送受信装置は図１，図３及び図４に示すように、外部と光ファイバ２２ａ，２２ｂを介して光信号の送受信を行う光トランシーバ１と、光トランシーバ１を制御するための制御手段３と、光トランシーバ１と制御手段３との間に形成された主信号配線系（２３ａ，２３ｂ）及び制御配線系（１８，３８、１９，３９、）と、を有している。主信号配線系（２３ａ，２３ｂ）は、前記光信号と相互変換される電気信号である主信号を伝送するものであって、有線回線で構成してある。制御配線系（１８，３８、１９，３９、）は、光トランシーバ１から出力される監視信号と、前記監視信号に基づいて前記光トランシーバを制御するために制御手段３から出力される制御信号とを相互に伝送するものであって、無線回線で構成したものである。
【００１４】
本発明に係る光送受信装置を用いて光送受信を行うには、前記光信号と相互変換される電気信号である主信号の伝送を、前記有線回線で構成された前記主信号配線系を用いて行い、前記光トランシーバから出力される監視信号と、前記監視信号に基づいて前記光トランシーバを制御するために前記制御手段で出力される制御信号との伝送を、前記無線回路で構成された制御配線系を用いて行う。
【００１５】
本発明の実施形態によれば外部と制御手段間のデータ通信回線を有線回線とし、制御手段からの制御指示信号を受信する回線を無線通信回線とすることができ、制御手段との間に高い伝送速度に対応できる伝送路を有線で確保しながら、光トランシーバ内のプリント基板上の配線を少なくすることができる
【００１６】
次に、本発明の実施形態に係る光送受信装置を実施例を用いて説明する。
【００１７】
＜第１実施例＞
図１は、本発明に係る第１実施例の光送受信装置の構成を示すブロック図である。
【００１８】
本発明の実施例１に係る光送受信装置は図１に示すように、外部と光ファイバ２２ａ，２２ｂを介して光信号の送受信を行う光トランシーバ１と、光トランシーバ１を制御するための制御手段３と、光トランシーバ１と制御手段３との間に形成された主信号配線系２３ａ，２３ｂ及び制御配線系１８，３８と、を有している。
【００１９】
光トランシーバ１は、光通信網４と光ファイバ２２ａ，２２ｂを介して接続され、かつ、制御手段３との間を高周波の電気信号を伝送する有線２３ａ，２３ｂにより接続されている。ここに、前記高周波の電気信号とは、前記光信号と相互変換される電気信号である主信号を意味する。また、有線２３ａ，２３ｂは、前記光信号と相互変換される電気信号である主信号を伝送する配線であって、有線回線で構成した主信号配線系を意味する。
【００２０】
また、光トランシーバ１は、前記光信号と前記電気信号との相互変換を行い、光ファイバ通信を行う送受信用駆動回路１６，１７と、送受信用駆動回路１６，１７を含めた光トランシーバ１の状態を監視する監視手段とを含んでいる。
【００２１】
前記監視手段は、電源や温度状態を監視する各種モニタ１１と、アナログ信号をデジタル信号に変換するＡ／Ｄ変換器１２と、制御手段３との通信回線の接続と切断とを切り替える切替手段としてのシャットダウン回路１３と、シャットダウン回路１３の処理動作を制御するメモリ制御回路１４と、ＲＡＭ，ハードディスク装置等の情報記憶媒体である各種メモリ１５とを有している。
【００２２】
受信側側駆動回路１６は、光通信網４を介して光ファイバ２２ａから光信号を受光し電気信号に変換する受光素子であるＰＤ（フォトダイオード）２０を含み、ＰＤ２０からの電気信号を受信データとして制御手段３へ送出する。送信側駆動回路１７は、制御手段３からの電気信号（主信号）を送信データとして入力する送信データ入力手段としての機能を有している。送信側駆動回路１７は、発光素子であるＬＤ（レーザダイオード）２１を用いて送信データを光信号に変換し光ファイバ２２ｂへ出射する。
【００２３】
光トランシーバ１は無線通信装置１８を有し、制御手段３は無線通信装置１９を有している。ここに、無線通信装置１８と無線通信装置３８とは、制御配線系を構成している。無線通信装置１８と３８とから構成される制御配線系は、光トランシーバ１から出力される監視信号と、前記監視信号に基づいて光トランシーバ１を制御するために制御手段３から出力される制御信号とを相互に伝送するものであって、無線回線として構成したものである。
【００２４】
各種モニタ１１は、温度検知モニタ，電圧検知モニタ，電流検知モニタ，光出力検知モニタ等からなり、光トランシーバ１内の温度や、有線２３ａ，２３ｂに印可される電圧の変化や、有線２３ａ，２３ｂに流れる電流の変化や、ＰＤ２０に出力される出射光レベル等を監視し各値を検出し、これらの値からアナログ信号でなるモニタ信号を生成する監視手段として機能している。そして、各種モニタ１１は、このモニタ信号を一定のサイクルでＡ／Ｄ変換器１２へ出力する。
【００２５】
Ａ／Ｄ変換器１２は、各種モニタ１１からのアナログ信号をデジタル信号に変換し、このデジタル信号でなるモニタ信号をメモリ制御回路１４へ出力する。
【００２６】
シャットダウン回路１３は、受信側駆動回路１６及び送信側駆動回路１７と制御手段３間の通信回線の接続と切断とを切り替える。例えば、メモリ制御回路１４からｏｎ信号が入力されると、シャットダウン回路１３は、制御手段３に対するデータ信号出力の許可を示す信号を受信側駆動回路１６に出力し、メモリ制御回路１４からｏｆｆ信号が入力されると、制御手段３に対するデータ信号出力の停止を示す信号を受信側駆動回路１６に出力する。また、シャットダウン回路１３は、メモリ制御回路１４からｏｎ信号が入力されると、制御手段３から入力されたデータ信号のＬＤ２１への出力許可を示す信号を送信側駆動回路１６に出力し、メモリ制御回路１４からｏｆｆ信号が入力されると、制御手段３からのデータ信号のＬＤ２１への出力停止を示す信号を送信側駆動回路１６に出力する。
【００２７】
メモリ制御回路１４は、一定のサイクルで各種モニタ１１から出力されたモニタ信号を監視しており、Ａ／Ｄ変換器１２からのモニタ信号を各種メモリ１５に記憶させる。
【００２８】
受信側駆動回路１６は、受信側駆動回路１６内の電流または電圧の変化を検出し、この検出した電流または電圧の値が、各種メモリ１５に記憶されている電流変化基準値又は電圧変化基準値に達した場合に警報信号を発し、この警報信号をメモリ制御回路１４へ出力する警報信号発信手段としての機能を有している。また、受信側駆動回路１６は、シャットダウン回路１３からの信号に従って、制御手段３への受信データ送出の実行または停止を行う。警報信号発信手段として機能する受信側駆動回路１６は、前記監視手段の一部を構成している。
【００２９】
送信側駆動回路１７は、送信側駆動回路１７内の電流または電圧の変化を検出し、この検出した電流または電圧の値が、各種メモリ１５に記憶されている電流変化基準値又は電圧変化基準値に達した場合に警報信号を発し、この警報信号をメモリ制御回路１４に出力する警報信号発信手段としての機能を有している。また、送信側駆動回路１７は、シャットダウン回路１３からの信号に従って、ＬＤ２１への送信データ出力の実行または停止を行う。警報信号発信手段として機能する送信側駆動回路１７は、前記監視手段の一部を構成している。
【００３０】
また、メモリ制御回路１４は、受信側駆動回路１６又は送信側駆動回路１７から入力された警報信号を各種メモリ１５に記憶させ、各種メモリ１５からモニタ信号又は警報信号を読み出し、これらモニタ信号又は警報信号を無線通信装置１８へ出力する。
【００３１】
無線通信装置１８は、モニタ信号又は警報信号を制御手段３へ送信するモニタ信号送出手段及び警報信号送出手段としての機能を有している。また、無線通信装置１８は、制御手段３から光トランシーバ１の動作制御を指示する制御指示信号を入力する制御指示信号入力手段としての機能を有している。無線通信装置１８における無線通信の方式としては、Ｂｌｕｅｔｏｏｔｈ，ＮＦＣ（Ｎｅａｒ  Ｆｉｅｌｄ  Ｃｏｍｍｕｎｉｃａｔｉｏｎ），ＵＷＢ（Ｕｌｔｒａ  Ｗｉｄｅ  Ｂａｎｄ），ＺｉｇＢｅｅ等のいずれかを用いることが考えられる。
【００３２】
また、メモリ制御回路１４は、無線通信装置１８からの制御指示信号に基づいてｏｎ信号又はｏｆｆ信号をシャットダウン回路１３へ出力する。
【００３３】
各種メモリ１５は、モニタ信号及び警報信号を記憶する。また、各種メモリ１５は、受信側駆動回路１６又は送信側駆動回路１７が警報信号を発信する基準となる基準値を記憶している。この基準値には、電流の変化に対する電流変化基準値と、電圧の変化に対する電圧変化基準値とがある。
【００３４】
ここで、本実施形態では、受信側駆動回路１６または送信側駆動回路１７が、電流または電圧の変化を検出し、この検出した電流または電圧の値が、各種メモリ１５に記憶されている電流変化基準値又は電圧変化基準値に達した場合に警報信号を発するように構成されているが、これに限られるものではない。例えば、メモリ制御回路１４が、各種モニタ１１により検出された有線２３ａ，２３ｂに印可される電圧や有線２３ａ，２３ｂに流れる電流の値と、各種メモリ１５に記憶されている電流変化基準値又は電圧変化基準値とを照合し、この検出した電流または電圧の値が、電流変化基準値又は電圧変化基準値に達した場合に警報信号を発するように構成してもよい。
【００３５】
次に、光送受信装置の動作について説明する。
【００３６】
（１）外部から受信した受信データが制御手段３に伝送されるまでの動作について説明する。
【００３７】
光通信網４から光ファイバ２２ａを介して光信号でなる受信データ信号がＰＤ２０に入力すると、ＰＤ２０は、前記光信号でなる受信データ信号を電気信号でなる受信データ信号に変換し、この受信データ信号を受信側駆動回路１６に出力する。
【００３８】
受信側駆動回路１６は、ＰＤ２０からの電気信号でなる受信データ信号を増幅し、この増幅した受信データ信号を有線２３ａを介して制御手段３へ出力する。
【００３９】
（２）制御手段からの送信データが光通信網４に伝送されるまでの動作について説明する。
【００４０】
送信側駆動回路１７は、制御手段３から有線２３ｂを介して入力された高周波の電気信号でなる送信データ信号をＬＤ２１に出力する。ＬＤ２１は、送信側駆動回路１７からの電気信号でなる送信データ信号を光信号に変換し、この光信号を光ファイバ２２ｂを介して光通信網４に送信する。
【００４１】
（３）受信側駆動回路１６又は送信側駆動回路１７からの警報信号がメモリ制御回路１４に入力されるまでの動作について説明する。
【００４２】
受信側駆動回路１６は、増幅した受信データ信号の電流または電圧の変化を逐次検出し、この検出した電流または電圧の値が、各種メモリに記憶されている電流変化基準値又は電圧変化基準値に達した場合に、警報信号をメモリ制御回路１４に出力する。
【００４３】
送信側駆動回路１７は、送信データ信号の電流または電圧の変化を検出し、この検出した電流・電圧の値が、各種メモリ１５に記憶されている電流変化基準値・電圧変化基準値に達した場合に、警報信号をメモリ制御回路１４に出力する。メモリ制御回路１４は、受信側駆動回路１６または送信側駆動回路１７から入力された警報信号を各種メモリ１５に記憶させて処理を終了する。
【００４４】
（４）各種モニタ１１がモニタ信号を生成し、このモニタ信号または警報信号が制御手段３に送信されるまでの動作について説明する。
【００４５】
まず、各種モニタ１１が、光トランシーバ１内の温度，電圧，電流，出射光レベル等の変化に応じて、これらの内容を示すアナログ信号からなるモニタ信号をリアルタイムにＡ／Ｄ変換器１２に出力する（監視工程）。
【００４６】
Ａ／Ｄ変換器１２は、各種モニタ１１から入力されたアナログ信号をデジタル信号に変換し、この信号をモニタ信号としてメモリ制御回路１４へ出力する。
【００４７】
メモリ制御回路１４は、一定のサイクルで各種モニタ１１から出力されたモニタ信号を監視し、Ａ／Ｄ変換器１２からのモニタ信号を各種メモリ１５に記憶させる。
【００４８】
その後、メモリ制御回路１４は、各種メモリ１５に記憶されているモニタ信号または警報信号を無線通信装置１８に出力する。無線通信装置１８は、メモリ制御回路１４からのモニタ信号または警報信号を無線通信回線を介して制御手段３の無線通信装置３８に送信し、処理を終了する（モニタ信号送出工程）。
【００４９】
このようにして、モニタ信号または警報信号を受信した制御手段３では、モニタ信号または警報信号に基づいて制御指示信号が調整され、この制御指示信号が無線通信装置３８から送信されることになる。
【００５０】
ここで、上述したモニタ信号送出工程については、その内容をプログラム化し、モニタ信号送信処理として光トランシーバ１を制御するコンピュータに実行させるように構成してもよい。
【００５１】
（５）受信側駆動回路１６が受信データ信号の制御手段３への出力を停止するとともに、送信側駆動回路１７が送信データ信号のＬＤ２１への出力を停止する動作について説明する。また、このときのメモリ制御回路１４の動作については、図２を参照して説明する。
【００５２】
無線通信装置１８は、制御手段３の無線通信装置３８から、受信側駆動回路１６に受信データ信号の制御手段３への出力を停止させるとともに、送信側駆動回路１７に送信データ信号のＬＤ２１への出力を停止させることを指示する制御指示信号を無線通信回線を介して受信すると、この制御指示信号をメモリ制御回路１４へ出力する。
【００５３】
メモリ制御回路１４は、制御指示信号が入力すると（制御指示信号入力工程，図２：ステップＳ１０１）、受信側駆動回路１６に受信データ信号の制御手段３への出力を停止させるとともに送信側駆動回路１７に送信データ信号のＬＤ２１への出力を停止させる指示を示すｏｆｆ信号をシャットダウン回路１３に出力する（図２：ステップＳ１０３）。
【００５４】
シャットダウン回路１３は、メモリ制御回路１４からｏｆｆ信号が入力すると、受信側駆動回路１６に受信データ信号の制御手段３への出力を停止させる指示を出力するとともに、送信側駆動回路１７に送信データ信号のＬＤ２１への出力を停止させる要求を出力する。
【００５５】
続いて、受信側駆動回路１６は、光通信網４からの電気信号を制御手段３へ送信するための回線を切断に切り替えて、制御手段３に対する受信データ信号の出力を停止するとともに、送信側駆動回路１７は、制御手段３からの電気信号を光通信網４へ送信するための回線を切断に切り替えて、ＬＤ２１に対する送信データ信号の出力を停止し、処理を終了する（切替工程）。
【００５６】
（６）受信側駆動回路１６が受信データ信号の制御手段３への出力を許可するとともに、送信側駆動回路１７が送信データ信号のＬＤ２１への出力を許可する動作について説明する。また、このときのメモリ制御回路１４の動作については、図２を参照して説明する。
【００５７】
無線通信装置１８は、制御手段３の無線通信装置３８から、受信側駆動回路１６に受信データ信号の制御手段３への出力を許可させるとともに、送信側駆動回路１７に送信データ信号のＬＤ２１への出力を許可させることを指示する制御指示信号を無線通信回線を介して受信すると、この制御指示信号をメモリ制御回路１４に出力する。
【００５８】
メモリ制御回路１４は、制御指示信号を入力すると（制御指示信号入力工程，図２：ステップS１０１）、受信側駆動回路１６に受信データ信号の制御手段３への出力を許可させるとともに送信側駆動回路１７に送信データ信号のＬＤ２１への出力を許可させる要求を示すｏｎ信号をシャットダウン回路１３に出力する（図２：ステップＳ１０４）。
【００５９】
シャットダウン回路１３は、メモリ制御回路１４からｏｎ信号が入力すると、受信側駆動回路１６に受信データ信号の制御手段３への出力を許可させる指示を出力するとともに、送信側駆動回路１７に送信データ信号のＬＤ２１への出力を許可させる指示を出力する。
【００６０】
続いて、受信側駆動回路１６は、光通信網４からの電気信号を制御手段３へ送信するための回線を接続に切り替えて、制御手段３に対する受信データ信号の出力を再開するとともに、送信側駆動回路１７が、制御手段３からの電気信号を光通信網４へ送信するための回線を接続に切り替えて、ＬＤ２１に対する送信データ信号の出力を再開し、処理を終了する（切替工程）。
【００６１】
ここで、上述した制御指示信号入力工程については、その内容をプログラム化し制御指示信号入力処理として光トランシーバ１を制御するコンピュータに実行させるように構成してもよい。また、上述したようなメモリ制御回路１４がｏｎ信号又はｏｆｆ信号をシャットダウン回路１３に出力する動作についても同様に、その内容をプログラム化し接／断切替処理として光トランシーバ１を制御するコンピュータに実行させるように構成してもよい。
【００６２】
以上のような本実施例１によれば、モニタ信号や警報信号，制御指示信号等の光トランシーバの制御に関わる信号が無線通信により送受信するので、光トランシーバ１に搭載されるプリント基盤上の配線を減少させることができる。また、プリント基板上の配線を減少させたことにより、このプリント基板上において受信データ信号用の配線及び送信データ信号用の配線の引き回しが減少し、インピーダンス整合を容易に行うことができるとともに、アースするための箇所を広くとることができる。
【００６３】
また、プリント配線上の配線を減少させることにより、プリント基板等を小型化することが可能となり、光トランシーバ自体を小型化することができる。また、光トランシーバ１及び制御手段３との配線を減少させたので、受信データ信号及び送信データ信号が高周波の電気信号である場合に、特に必要となる電磁ノイズを減少することができ、光トランシーバの特性を向上させることができる。
【００６４】
また、光トランシーバの制御に関わる信号が無線により光トランシーバ１と制御手段３と間で送受信されるので、機能が増加しても、配線の増加を抑えることが可能となり、機能の拡張性を確保することができる。
【００６５】
ここで、本実施例１では、光通信網４と制御手段３間における光データ通信のための伝送路が有線であり、光トランシーバ１と制御手段３間における光トランシーバ１の制御に関わる信号の伝送路が無線であるので、光トランシーバ１を制御するための装置を制御手段３とは別に用意して、この装置と光トランシーバ１との間で光トランシーバ１の制御に関わる信号の送受信を無線通信により実行するように構成することもできる。
【００６６】
＜第２実施例＞
図３は、本発明に係る第２の実施例の構成を示すブロック図である。
【００６７】
図３に示すように、本第２実施形態の光トランシーバ５は、第１の実施形態と同様に、光通信網４との間を光ファイバ２２ａ，２２ｂにより接続され、かつ、制御手段６との間を高周波の電気信号を伝送する有線２３ａ，２３ｂにより接続されている。
【００６８】
また、本第２実施形態の光送受信装置は、第１の実施例の光トランシーバ１と同様の構成要素として、各種モニタ１１と、Ａ／Ｄ変換器１２と、シャットダウン回路１３と、メモリ制御回路１４と、各種メモリ１５と、受信側駆動回路１６と、送信側駆動回路１７と、ＰＤ２０と、ＬＤ２１とを備えている。
【００６９】
実施例１では、無線回線での信号伝送に電磁波を用いたが、これに代えて実施例２では、光信号を用いている。すなわち、実施例２では、無線回線で構成された制御配線系を構成するために、光送受信回路１９と、ＰＤ２４と、ＬＤ２５と、光送受信回路３９と、ＰＤ３４と、ＬＤ３５とを有している。
【００７０】
光送受信回路１９は、モニタ信号または警報信号をＬＤ２５を介して制御手段６へ送信するモニタ信号送出手段及び警報信号送出手段としての機能を有している。また、光トランシーバ５の動作制御を指示する制御指示信号を制御手段６からＰＤ２４を介して入力する制御指示信号入力手段としての機能を有している。光送受信回路１９は、空間を介した光信号を送受信する空間伝送光通信回路であり、光通信の方式としては、赤外線を利用したＩｒＤＡ（Ｉｎｆｒａｒｅｄ  Ｄａｔａ  Ａｓｓｏｃｉａｔｉｏｎ）を用いることが考えられる。
【００７１】
ＰＤ２４は、制御手段６のＬＤ３５から出力された光トランシーバ５を制御するための赤外線でなる制御指示信号を電気信号に変換し光送受信回路１９へ出力する受光素子である。ＬＤ２５は、光送受信回路１９からのモニタ信号及び警報信号を赤外線の光信号に変換し制御手段６のＰＤ３４に送信する発光素子である。
【００７２】
この第２の実施例によれば、光送受信回路１９，ＰＤ２４及びＬＤ２５を使用することで、赤外線通信を利用して制御手段６が光トランシーバ５を制御することができる。
【００７３】
＜第３実施例＞
図４は、本発明に係る第３の実施例の構成を示すブロック図である。
【００７４】
図１に示す実施例１及び図３に示す実施例２では、無線回線で構成された制御配線系は、電磁波或いは光信号を用いて、自由空間中で信号の伝送を行ったが、自由空間中での信号の伝送に代えて、図４に示す第３実施例の光送受信装置における、無線回線で構成された制御配線系は、自由空間中に配置した光ファイバを通して信号の伝送を行うものである。
【００７５】
図４に示す無線回線で構成された制御配線系について、図３に示す制御配線系との相違点について説明する。図４に示すように、ＰＤ２４は、光ファイバ３６ａを介して制御手段８のＬＤ３５との間に光信号を遣り取りし、ＬＤ２５が、光ファイバ３６ｂを介して制御手段８のＰＤ３４との間に光信号の遣り取りを行う。これにより、光送受信回路１９は、光ファイバを介して光信号を送受信する光通信回路となる。
【００７６】
この実施例によれば、ＰＤ２４及びＬＤ２５と、それぞれ制御手段８のＬＤ３４及びＰＤ３５と光ファイバ３６ａ及び３６ｂとの組み合わせにより、双方に送受信される制御信号が電波妨害を受けることなく確実に送受信することができる。
【００７７】
また、本発明の実施例としては、次のように構築してもよいものである。すなわち、光ファイバを介して外部から光信号を受光し電気信号に変換する受光素子と、この電気信号を受信データとして制御手段へ送出する受信データ送出手段と、制御手段からの電気信号を送信データとして入力する送信データ入力手段と、この送信データを光信号に変換し外部へ出射する発光素子と、制御手段から受信データ送出手段及び送信データ入力手段の動作制御を指示する制御指示信号を入力する制御指示信号入力手段とを備え、受信データ送出手段及び送信データ入力手段は、有線通信回路により制御手段との間で信号を入出力する機能を有し、制御指示信号入力手段は、無線通信回路により制御手段との間で信号を入力する機能を有しる構成として構築してもよい。
【００７８】
このような光トランシーバによれば、外部と制御手段間のデータ通信回線を有線回線とし、制御手段からの制御指示信号を受信する回線を無線通信回線とすることで、制御手段との間に高い伝送速度に対応できる伝送路を有線で確保しながら、光トランシーバ内のプリント基板上の配線を少なくすることができる。
【００７９】
また、このプリント基板上の配線を減少させることにより、プリント基板上において出力データ信号用の配線、及び、入力データ信号用の配線の引き回しが減少し、インピーダンス整合を容易に行うことができるとともに、アースするための箇所を広くとることができる。出力データ信号及び入力データ信号が高周波の電気信号を出力する場合に特に必要となる電磁波ノイズを減少することができ、光トランシーバの特性を向上させることができる。
【００８０】
また、外部と制御手段間のデータ通信のための回線と、光トランシーバを制御するための情報を光トランシーバと制御手段間で送受信する回線を別に設けたことにより、各回線の負担が軽減され通信速度が向上する。
【００８１】
また、プリント基板上の配線を減少させることにより、プリント基板を小型化すること可能となり、それに伴って、光トランシーバ自体の小型化を実現できる。
【００８２】
また、光トランシーバを制御するための情報を光トランシーバと制御手段間で送受信されるので、機能が増加しても、配線を抑えることが可能となり機能の拡張性を確保することができる。
【００８３】
上記の光トランシーバは、上述した発光素子の出射光レベルを監視しそのレベル値を示すモニタ信号を生成する監視手段と、このモニタ信号を制御指示信号調整用として制御手段へ送出するモニタ信号送出手段とを備え、モニタ信号送出手段は、無線通信回路により制御手段へモニタ信号を出力する機能を有してもよい。
【００８４】
このようにすると、光トランシーバの情報送信状況を制御手段に通知することができる。制御手段は、モニタ信号に対応して制御指示信号を光トランシーバへ送信することになる。また、モニタ信号を無線通信回線で制御手段に送信する構成にすることで上記と同様の効果を得ることができる。
【００８５】
また、上記の光トランシーバは、受信データ送出手段又は送信データ入力手段における電流または電圧の変化を検出しそのレベルが基準値に達した場合に警報信号を発する警報信号発信手段と、この警報信号を制御指示信号調整用として制御手段へ送出する警報信号送出手段とを備え、警報信号送出手段は、無線通信回路により制御手段へ警報信号を出力する機能を有してもよい。
【００８６】
このようにすると、光トランシーバの情報送信状況が異常を示した場合に制御手段に警報信号を通知することができる。制御手段は、警報信号に対応して制御指示信号を光トランシーバへ送信することになる。また、警報信号を無線通信回線で制御手段に送信する構成にすることで上記と同様の効果を得ることができる。
【００８７】
更に、上記の光トランシーバにおいて、上述した制御指示信号入力手段とモニタ信号送出手段と警報信号送出手段のそれぞれにおける無線通信回路が、空間を介して光信号を送受信する空間伝送光通信回路であってもよい。このようにしても、上記と同様の効果が得られる。
【００８８】
また更に、上記の光トランシーバにおいて、上述した制御指示信号入力手段とモニタ信号送出手段と警報信号送出手段のそれぞれにおける無線通信回路を、光ファイバを介して光信号を送受信する光通信回路としてもよい。このようにしても、上記と同様の効果が得られる。
【００８９】
また、上記の光トランシーバは、上述した制御指示信号入力手段によって入力された制御指示信号に基づいて受信データ送出手段及び送信データ入力手段と制御手段間の回線の接続と切断とを切り替える接／断切替手段を備えてもよい。このようにすると、外部と制御手段間のデータ通信をその通信状況に対応して制御することができる。
【００９０】
本発明の実施例に係る光トランシーバ動作制御方法は、光通信網を介して外部から入射された光信号を電気信号に変換しこの電気信号を受信データとして制御手段へ有線通信により送出するとともに、制御手段から有線通信により送信データとして入力された電気信号を光信号に変換して外部へ発信する光データ通信機能を有する光トランシーバの動作を制御する動作制御方法であって、光トランシーバの動作制御を指示する制御指示信号を制御手段から無線通信により入力する制御指示信号入力工程と、入力された制御指示信号に基づいて外部からの光信号を制御手段へ送信する回線の接続と切断とを切り替える接／断切替工程とを設けた構成として構築してもよいものである。
【００９１】
また、本発明の実施例に係る光トランシーバ動作制御方法は、光通信網を介して外部から入射された光信号を電気信号に変換しこの電気信号を受信データとして制御手段へ有線通信により送出するとともに、制御手段から有線通信により送信データとして入力された電気信号を光信号に変換して外部へ発信する光データ通信機能を有する光トランシーバの動作を制御する動作制御方法であり、光トランシーバの動作制御を指示する制御指示信号を制御手段から無線通信により入力する制御指示信号入力工程と、入力された制御指示信号に基づいて制御手段からの電気信号を光通信網へ送信するための回線の接続と切断とを切り替える切替工程とを設けた構成として構築してもよいものである。
【００９２】
また、上記の光トランシーバ動作制御方法は、上述した制御指示信号入力工程前に、外部への出射光レベルを監視しそのレベル値を示すモニタ信号を生成する監視工程と、このモニタ信号を制御指示信号調整用として制御手段へ無線通信により送出するモニタ信号送出工程とを設けてもよい。
【００９３】
このような光トランシーバ動作制御方法によれば、上記発明の光トランシーバと同様の効果を得ることができる。
【図面の簡単な説明】
【００９４】
【図１】本発明に係る第１の実施例の構成を示すブロック図である。
【図２】図１に示す実施例に開示されたメモリ制御回路の動作を示すフローチャートである。
【図３】本発明に係る第２の実施例の構成を示すブロック図である。
【図４】本発明に係る第３の実施例の構成を示すブロック図である。
【符号の説明】
【００９５】
１，５，７  光トランシーバ
３，６，８  制御手段
４  光通信網
１１  各種モニタ（監視手段）
１２  Ａ／Ｄ変換器
１３  シャットダウン回路（切替手段）
１４  メモリ制御回路
１５  各種メモリ
１６  受信側駆動回路（受信データ送出手段，警報信号発信手段）
１７  送信側駆動回路（送信データ入力手段，警報信号発信手段）
１８  無線通信装置（制御指示信号入力手段，モニタ信号送出手段，警報信号送出手段）
１９  光送受信回路（制御指示信号入力手段，モニタ信号送出手段，警報信号送出手段）
２０，２４  ＰＤ（フォトダイオード）
２１，２５  ＬＤ（レーザダイオード）
２２ａ，２２ｂ，３６ａ，３６ｂ  光ファイバ
２３ａ，２３ｂ  導線
３８  無線通信装置
３４  ＰＤ（フォトダイオード）
３５  ＬＤ（レーザダイオード）
【図１】
2008035496.tif 000003
【図２】
2008035496.tif 000004
【図３】
2008035496.tif 000005
【図４】
2008035496.tif 000006